(57)【要約】【課題】サウンドエフェクト電源供給構造の提供。【解決手段】本サウンドエフェクト電源供給構造は、ＵＳＢ電源供給源、外部音源、サウンドエフェクトユニット及び外部スピーカを包含し、該ＵＳＢ電源供給源はＵＳＢ電源を該サウンドエフェクトユニットに提供して該サウンドエフェクトユニットにＵＳＢ電源を獲得させた後に外部音源の出力する音声信号を受け取らせ、該サウンドエフェクトユニットは該音声信号を適宜処理した後に、該外部スピーカを駆動し高品質サウンドエフェクトを具えた音声を発生させる。【選択図】図１
2010268194.tif 000002
【特許請求の範囲】
【請求項１】
ＵＳＢ電源を供給するＵＳＢ電源供給源と、
音声信号を出力する音声信号端子を具えた外部音源と、
サウンドエフェクトユニットであって、ＵＳＢ電源入力端子、音声信号入力端子、音声信号出力端子及び複数の音声信号ブロックを具え、該ＵＳＢ電源入力端子は該ＵＳＢ電源供給源に接続されて該ＵＳＢ電源を受け取って該ＵＳＢ電源をこれら音声信号ブロックへの供給電源とし、該音声信号入力端子が該外部音源の音声信号を受け取った後に、該サウンドエフェクトユニットはその音声信号をこれら音声ブロックで処理して音声出力信号を生成し、該音声信号出力端子より送出する、上記サウンドエフェクトユニットと、
外部スピーカであって、音声信号入力端子を具え、該サウンドエフェクトユニットの音声出力端子に接続され、該サウンドエフェクトユニットの音声出力信号を受け取り、音声を発生する、上記外部スピーカと、
を包含したことを特徴とする、サウンドエフェクト電源供給構造。
【請求項２】
請求項１記載のサウンドエフェクト電源供給構造において、該ＵＳＢ電源は4.75Ｖから5.25Ｖとされることを特徴とする、サウンドエフェクト電源供給構造。
【請求項３】
請求項１記載のサウンドエフェクト電源供給構造において、該ＵＳＢ電源は4.4Ｖから5.25Ｖとされることを特徴とする、サウンドエフェクト電源供給構造。
【請求項４】
請求項１記載のサウンドエフェクト電源供給構造において、該外部音源はＭＰ３プレイヤー、携帯電話、ＣＤプレイヤー、及びＤＶＤプレイヤーのいずれかとされる、サウンドエフェクト電源供給構造。
【請求項５】
請求項１記載のサウンドエフェクト電源供給構造において、該サウンドエフェクトユニットのこれら音声信号ブロックは、３Ｄサラウンド（３Ｄ  Ｓｕｒｒｏｕｎｄ）、イコライザ、バスブースター（Ｂｕｓｓ  Ｂｏｏｓｔｅｒ）、サウンドエキスパンダー（Ｓｏｕｎｄ  Ｅｘｐａｎｄｅｒ）、或いはサウンドワイダー（Ｓｏｕｎｄ  Ｗｉｄｅｒ）の少なくともいずれか一つとされることを特徴とすうる、サウンドエフェクト電源供給構造。
【発明の詳細な説明】
【技術分野】
【０００１】
本発明は一種のサウンドエフェクト電源供給構造に係り、特に、ＵＳＢポートが提供するＵＳＢ電源を音声ユニット内の機能ブロックの給電電源となすものに関する。
【背景技術】
【０００２】
電子テクノロジーの急速な発展に伴い、音声或いは音楽の再生機能を具えた消費性電子装置、例えばＭＰ３プレイヤー、ＣＤプレイヤー、及びＤＶＤプレイヤー等が益々普及しており、それらよりも普及率が高い携帯電話にも、次第に音声或いは音楽の再生機能がビルトインされるようになった。
【０００３】
これにより、使用者がネットワークを通してＭＰ３楽曲をダウンロードし並びにＭＰ３プレイヤー或いは携帯電話にダウンロードし、イヤホンを利用してＭＰ３プレイヤー或いは携帯電話の出力する楽曲を聴くことができる。このほか、楽曲を保存したＣＤ或いはオーディオビデオデータを保存したＤＶＤは、それぞれＣＤプレイヤー或いはＤＶＤプレイヤーで再生でき、音楽鑑賞に非常に便利である。しかし、一般にＭＰ３プレイヤー、ＣＤプレイヤー、ＤＶＤプレイヤー或いは携帯電話のスピーカは出力パワーが低く、このため音声品質が悪く、このことは音楽鑑賞の娯楽性に対して相当に厳重な欠点である。小型スピーカは直接音楽を増幅できるが、サウンドエフェクトは不良で且つ音量も大きくなく、実用上改善できる効果は限られている。通常、電源を外接するスピーカを使用しなければ音声品質を改善できないが、スピーカを一般の商用電源コンセントに接続する必要があり、使用者にとって非常に不便である。特にコンピュータの使用者にとっては、有限な卓上空間に余分に電源コンセントを設置しなければならず、携帯電話、ノートＰＣ、コンピュータ或いはその他の電子装置のＵＳＢポートは５Ｖ電源を供給可能であるのに、それを使用せず余分に商用電源コンセントを使用しなければならないのは、もったいないことである。
【発明の概要】
【発明が解決しようとする課題】
【０００４】
本発明の主要な目的は、一種のサウンドエフェクト電源供給構造を提供することにあり、それは、ＵＳＢ電源供給源、外部音源、サウンドエフェクトユニット、及び外部スピーカを包含し、該ＵＳＢ電源供給源はＵＳＢ電源を該サウンドエフェクトユニットに提供して該サウンドエフェクトユニットにＵＳＢ電源を獲得させた後に外部音源の出力する音声信号を受け取らせ、該サウンドエフェクトユニットは該音声信号を適宜処理した後に、該外部スピーカを駆動し高品質サウンドエフェクトを具えた音声を発生させる。
【０００５】
本発明のもう一つの目的は、一種のサウンドエフェクトユニットを提供することにあり、それはＵＳＢ電源供給源、外部音源、サウンドエフェクトユニット及び外部スピーカを包含し、該サウンドエフェクトユニットは３Ｄサラウンド（３Ｄ  Ｓｕｒｒｏｕｎｄ）、イコライザ、バスブースター（Ｂｕｓｓ  Ｂｏｏｓｔｅｒ）、サウンドエキスパンダー（Ｓｏｕｎｄ  Ｅｘｐａｎｄｅｒ）、或いはサウンドワイダー（Ｓｏｕｎｄ  Ｗｉｄｅｒ）を具え、これにより音声信号処理を行ない、音声の品質を高める。
【課題を解決するための手段】
【０００６】
本発明はサウンドエフェクト電源供給構造を提供し、それは、
ＵＳＢ電源を供給するＵＳＢ電源供給源と、
音声信号を出力する音声信号端子を具えた外部音源と、
サウンドエフェクトユニットであって、ＵＳＢ電源入力端子、音声信号入力端子、音声信号出力端子及び複数の音声信号ブロックを具え、該ＵＳＢ電源入力端子は該ＵＳＢ電源供給源に接続されて該ＵＳＢ電源を受け取って該ＵＳＢ電源をこれら音声信号ブロックへの供給電源とし、該音声信号入力端子が該外部音源の音声信号を受け取った後に、該サウンドエフェクトユニットはその音声信号をこれら音声ブロックで処理して音声出力信号を生成し、該音声信号出力端子より送出する、上記サウンドエフェクトユニットと、
外部スピーカであって、音声信号入力端子を具え、該サウンドエフェクトユニットの音声出力端子に接続され、該サウンドエフェクトユニットの音声出力信号を受け取り、音声を発生する、上記外部スピーカと、
を包含したことを特徴とする、サウンドエフェクト電源供給構造としている。
上記サウンドエフェクト電源供給構造において、該ＵＳＢ電源は4.75Ｖから5.25Ｖとされ得る。
上記サウンドエフェクト電源供給構造において、該ＵＳＢ電源は4.4Ｖから5.25Ｖとされ得る。
上記サウンドエフェクト電源供給構造において、該外部音源はＭＰ３プレイヤー、携帯電話、ＣＤプレイヤー、及びＤＶＤプレイヤーのいずれかとされ得る。
上記サウンドエフェクト電源供給構造において、該サウンドエフェクトユニットのこれら音声信号ブロックは、３Ｄサラウンド（３Ｄ  Ｓｕｒｒｏｕｎｄ）、イコライザ、バスブースター（Ｂｕｓｓ  Ｂｏｏｓｔｅｒ）、サウンドエキスパンダー（Ｓｏｕｎｄ  Ｅｘｐａｎｄｅｒ）、或いはサウンドワイダー（Ｓｏｕｎｄ  Ｗｉｄｅｒ）の少なくともいずれか一つとされ得る。
【発明の効果】
【０００７】
本発明は上述の周知の技術の欠点を解決し、本発明により携帯電話、ノートＰＣ、コンピュータ或いはその他の電子装置上のＵＳＢポートを利用して５Ｖ電源を供給できる。
【図面の簡単な説明】
【０００８】
【図１】本発明のサウンドエフェクト電源供給構造の表示図である。
【図２】本発明のサウンドエフェクトユニットの機能ブロック表示図である。
【発明を実施するための形態】
【０００９】
図１は本発明のサウンドエフェクト電源供給構造の表示図である。図１に示されるように、本発明のサウンドエフェクト電源供給構造１はＵＳＢ電源供給源１０、外部音源２０、サウンドエフェクトユニット３０、及び外部スピーカ４０を包含する。そのうち、ＵＳＢ電源供給源１０はＵＳＢポートとされ得て、例えば該ＵＳＢポートはゲーム機、携帯電話、パソコン或いはノートパソコンのＵＳＢポートとされ、並びにＵＳＢ電源１１を提供する。ＵＳＢ規格により、該ＵＳＢ電源１１は4.75Ｖから5.25Ｖ、或いは4.4Ｖから5.25Ｖとされ得る。
【００１０】
外部音源２０は音声或いはミュージック再生機能を有し、例えばＭＰ３プレイヤー、携帯電話、ＣＤプレイヤー、或いはＤＶＤプレイヤーとされる。外部音源２０は音声信号端子２１を具え、音声信号２５を出力する。
【００１１】
サウンドエフェクトユニット３０はＵＳＢ電源入力端子３１、音声信号入力端子３３、音声信号出力端子３５及び複数の音声信号ブロック（図示せず）を具備する。該ＵＳＢ電源入力端子３１は該ＵＳＢ電源１１を受け取り、これら音声信号ブロックの供給電源として使用する。該音声信号入力端子３３は該外部音源２０からの音声信号２５を受け取り、該サウンドエフェクトユニット３０はこれら音声信号ブロックによりそれを処理した後、音声出力信号３７を生成し、該音声信号出力端子３５より出力する。外部スピーカ４０は該サウンドエフェクトユニット３０の音声出力信号３７を受け取り、並びに音声を送出する。
【００１２】
図２は本発明のサウンドエフェクトユニットの機能ブロック表示図である。図２に示されるように、サウンドエフェクトユニット３０は３Ｄサラウンド（３Ｄ  Ｓｕｒｒｏｕｎｄ）５１、イコライザ５２、バスブースター（Ｂｕｓｓ  Ｂｏｏｓｔｅｒ）５３、サウンドエキスパンダー（Ｓｏｕｎｄ  Ｅｘｐａｎｄｅｒ）５４、或いはサウンドワイダー（Ｓｏｕｎｄ  Ｗｉｄｅｒ）５５の少なくともいずれかを具えている。そのうち、３Ｄサラウンド（３Ｄ  Ｓｕｒｒｏｕｎｄ）５１、イコライザ５２、バスブースター（Ｂｕｓｓ  Ｂｏｏｓｔｅｒ）５３、サウンドエキスパンダー（Ｓｏｕｎｄ  Ｅｘｐａｎｄｅｒ）５４、或いはサウンドワイダー（Ｓｏｕｎｄ  Ｗｉｄｅｒ）５５は内部ＵＳＢ電源３９を供給電源として受け取ることができる。
【００１３】
図１及び図２から分かるように、使用者はサウンドエフェクトユニット３０によりＵＳＢ電源供給源１０（ＵＳＢポート）のＵＳＢ電源１１を受け取り電力を獲得し、並びに音声信号処理を行ない、例えば３Ｄサラウンド、イコライズ、バスブースト、サウンドエキスパンド或いはサウンド拡大を行ない、最後に外部スピーカ４０を駆動して高音質サウンドの音声を発生する。これにより、本発明により使用者は非常に便利に外部音源２０の音声信号２５を外部スピーカ４０により再生できるようになり、これは、ＵＳＢポートが多くの電子製品で必ず配備されている入出力インタフェースであって非常に容易に取得できるためである。
【符号の説明】
【００１４】
１  サウンドエフェクト電源供給構造
１０  ＵＳＢ電源供給源
１１  ＵＳＢ電源
２０  外部音源
２１  音声信号端子
２５  音声信号
３０  サウンドエフェクトユニット
３１  ＵＳＢ電源入力端子
３３  音声信号入力端子
３５  音声信号出力端子
３７  音声出力信号
３９  内部ＵＳＢ電源
４０  外部スピーカ
５１  ３Ｄサラウンド（３Ｄ  Ｓｕｒｒｏｕｎｄ）
５２  イコライザ
５３  バスブースター（Ｂｕｓｓ  Ｂｏｏｓｔｅｒ）
５４  サウンドエキスパンダー（Ｓｏｕｎｄ  Ｅｘｐａｎｄｅｒ）
５５  サウンドワイダー（Ｓｏｕｎｄ  Ｗｉｄｅｒ）
【図１】
2010268194.tif 000003
【図２】
2010268194.tif 000004